(57)【要約】【課題】状態表示のための発光素子を備える機器の状態を良好に解析する。【解決手段】機器状態解析装置は、１または複数の発光素子を備える機器を撮影した画像を取得する画像取得部と、前記機器における前記発光素子の位置と、前記発光素子の点灯状態および前記機器の状態の対応関係とを含む参照情報を取得する情報取得部と、前記画像取得部によって取得された前記画像から前記機器における点灯状態および点灯位置を解析し、解析結果と前記情報取得部によって取得された前記参照情報とに基づいて前記機器における前記発光素子の点灯状態を取得し、取得した前記発光素子の点灯状態に基づいて前記機器の状態を判断する判断部と、前記判断部の判断結果を認識可能に出力する制御を行う出力制御部とを備える。【選択図】図４
2017162146.tif 000002
【特許請求の範囲】
【請求項１】
１または複数の発光素子を備える機器を撮影した画像を取得する画像取得部と、
前記機器における前記発光素子の位置と、前記発光素子の点灯状態および前記機器の状態の対応関係とを含む参照情報を取得する情報取得部と、
前記画像取得部によって取得された前記画像から前記機器における点灯状態および点灯位置を解析し、解析結果と前記情報取得部によって取得された前記参照情報とに基づいて前記機器における前記発光素子の点灯状態を取得し、取得した前記発光素子の点灯状態に基づいて前記機器の状態を判断する判断部と、
前記判断部の判断結果を認識可能に出力する制御を行う出力制御部とを備える、機器状態解析装置。
【請求項２】
前記参照情報は、複数の前記機器の、外観にする情報と、前記機器における前記発光素子の位置と、前記発光素子の点灯状態および前記機器の状態の対応関係とを含み、
前記判断部は、前記参照情報を用いて、前記画像における前記機器を特定し、特定した前記機器における前記発光素子の位置および前記対応関係と前記解析結果とに基づいて前記機器の状態を判断する、請求項１に記載の機器状態解析装置。
【請求項３】
前記参照情報は、前記発光素子の点灯状態と、前記発光素子に関して前記機器の外観に表示された内容以外の前記機器の状態である保守用状態との対応関係を含み、
前記判断部は、前記保守用状態を判断可能である、請求項１または請求項２に記載の機器状態解析装置。
【請求項４】
１または複数の発光素子を備える機器を撮影した画像を取得するステップと、
前記機器における前記発光素子の位置と、前記発光素子の点灯状態および前記機器の状態の対応関係とを含む参照情報を取得するステップと、
取得した前記画像から前記機器における点灯状態および点灯位置を解析するステップと、
解析した結果と取得した前記参照情報とに基づいて前記機器における前記発光素子の点灯状態を取得し、取得した前記発光素子の点灯状態に基づいて前記機器の状態を判断するステップと、
判断した結果を認識可能に出力する制御を行うステップとを含む、機器状態解析方法。
【請求項５】
機器状態解析装置において用いられる機器状態解析プログラムであって、
コンピュータを、
１または複数の発光素子を備える機器を撮影した画像を取得する画像取得部と、
前記機器における前記発光素子の位置と、前記発光素子の点灯状態および前記機器の状態の対応関係とを含む参照情報を取得する情報取得部と、
前記画像取得部によって取得された前記画像から前記機器における点灯状態および点灯位置を解析し、解析結果と前記情報取得部によって取得された前記参照情報とに基づいて前記機器における前記発光素子の点灯状態を取得し、取得した前記発光素子の点灯状態に基づいて前記機器の状態を判断する判断部と、
前記判断部の判断結果を認識可能に出力する制御を行う出力制御部と、
として機能させるための、機器状態解析プログラム。
【発明の詳細な説明】
【技術分野】
【０００１】
本発明は、機器状態解析装置、機器状態解析方法および機器状態解析プログラムに関し、特に、発光素子を備える機器の状態を解析する機器状態解析装置、機器状態解析方法および機器状態解析プログラムに関する。
【背景技術】
【０００２】
モデム、ルータおよびＩＰ電話装置等の宅内機器には、情報表示のためにＬＥＤ（Ｌｉｇｈｔ  Ｅｍｉｔｔｉｎｇ  Ｄｉｏｄｅ）表示器が実装されることが多い。たとえば、特開２０１５−１２８８４６号公報（特許文献１）には、以下のような技術が開示されている。すなわち、二次電池を駆動電源として利用可能な情報処理装置であって、前記二次電池のステータスを表示するステータス表示手段と、当該情報処理装置の動作モードおよび前記ステータス表示手段への給電状態を制御する制御手段と、前記ステータス表示手段に対する表示の指示を受け付ける指示受付手段とを含み、前記制御手段は、前記情報処理装置を省電力モードに移行する際に、前記ステータス表示手段を通電状態から電源断状態にし、前記省電力モードにおいては、前記指示受付手段が表示の指示を受け付けたことに応答して、前記ステータス表示手段が通電状態となりステータス表示が行われ、前記表示の指示が解除されたことに応答して、前記ステータス表示手段が電源断状態になるよう構成されており、前記ステータス表示手段は、１以上の発光素子を含み、前記１以上の発光素子の発光状態によって前記二次電池の残量を標示するものである。
【先行技術文献】
【特許文献】
【０００３】
【特許文献１】特開２０１５−１２８８４６号公報
【発明の概要】
【発明が解決しようとする課題】
【０００４】
このような機器では、ＬＥＤの側に当該ＬＥＤの意味を表す文字等（以下、意味表示とも称する。）が記されているのが通例である。そして、ユーザは、機器に異常が発生した場合において、発光素子の点灯状態および意味表示を観察することにより、機器の状態を判断することが可能である。
【０００５】
しかしながら、機器に実装されたＬＥＤの数が多い場合、ＬＥＤの意味表示を読み間違える可能性がある。また、モデム、ルータおよびＩＰ電話装置等の宅内機器は、設置室内の奥まった箇所に設置されることも多く、ＬＥＤの点灯状態を観察することはできても、ＬＥＤの意味表示を読み取ることが困難な場合がある。
【０００６】
この発明は、上述の課題を解決するためになされたもので、その目的は、状態表示のための発光素子を備える機器の状態を良好に解析することが可能な機器状態解析装置、機器状態解析方法および機器状態解析プログラムを提供することである。
【課題を解決するための手段】
【０００７】
（１）上記課題を解決するために、この発明のある局面に係わる機器状態解析装置は、１または複数の発光素子を備える機器を撮影した画像を取得する画像取得部と、前記機器における前記発光素子の位置と、前記発光素子の点灯状態および前記機器の状態の対応関係とを含む参照情報を取得する情報取得部と、前記画像取得部によって取得された前記画像から前記機器における点灯状態および点灯位置を解析し、解析結果と前記情報取得部によって取得された前記参照情報とに基づいて前記機器における前記発光素子の点灯状態を取得し、取得した前記発光素子の点灯状態に基づいて前記機器の状態を判断する判断部と、前記判断部の判断結果を認識可能に出力する制御を行う出力制御部とを備える。
【０００８】
（４）上記課題を解決するために、この発明のある局面に係わる機器状態解析方法は、１または複数の発光素子を備える機器を撮影した画像を取得するステップと、前記機器における前記発光素子の位置と、前記発光素子の点灯状態および前記機器の状態の対応関係とを含む参照情報を取得するステップと、取得した前記画像から前記機器における点灯状態および点灯位置を解析するステップと、解析した結果と取得した前記参照情報とに基づいて前記機器における前記発光素子の点灯状態を取得し、取得した前記発光素子の点灯状態に基づいて前記機器の状態を判断するステップと、判断した結果を認識可能に出力する制御を行うステップとを含む。
【０００９】
（５）上記課題を解決するために、この発明のある局面に係わる機器状態解析プログラムは、機器状態解析装置において用いられる機器状態解析プログラムであって、コンピュータを、１または複数の発光素子を備える機器を撮影した画像を取得する画像取得部と、前記機器における前記発光素子の位置と、前記発光素子の点灯状態および前記機器の状態の対応関係とを含む参照情報を取得する情報取得部と、前記画像取得部によって取得された前記画像から前記機器における点灯状態および点灯位置を解析し、解析結果と前記情報取得部によって取得された前記参照情報とに基づいて前記機器における前記発光素子の点灯状態を取得し、取得した前記発光素子の点灯状態に基づいて前記機器の状態を判断する判断部と、前記判断部の判断結果を認識可能に出力する制御を行う出力制御部と、として機能させるためのプログラムである。
【００１０】
本発明は、機器状態解析装置の一部または全部を実現する半導体集積回路として実現したり、機器状態解析装置を含むシステムとして実現したりすることができる。
【発明の効果】
【００１１】
本発明によれば、状態表示のための発光素子を備える機器の状態を良好に解析することができる。
【図面の簡単な説明】
【００１２】
【図１】図１は、本発明の実施の形態に係る通信システムの構成を示す図である。
【図２】図２は、本発明の実施の形態に係る機器の表示面の一例を概略的に示す図である。
【図３】図３は、本発明の実施の形態に係る機器の構成の一例を示す図である。
【図４】図４は、本発明の実施の形態に係る機器状態解析装置の構成を示す図である。
【図５】図５は、本発明の実施の形態に係る機器状態解析装置における参照情報の一例を示す図である。
【図６】図６は、本発明の実施の形態に係る機器状態解析装置の参照情報における発光素子の定義の一例を示す図である。
【図７】図７は、本発明の実施の形態に係る機器状態解析装置の参照情報における発光素子の定義の他の例を示す図である。
【図８】図８は、本発明の実施の形態に係る機器状態解析装置の参照情報における発光素子の定義の他の例を示す図である。
【図９】図９は、本発明の実施の形態に係る機器状態解析装置が機器状態を解析する際の動作手順を定めたフローチャートである。
【発明を実施するための形態】
【００１３】
最初に、本発明の実施形態の内容を列記して説明する。
【００１４】
（１）本発明の実施の形態に係る機器状態解析装置は、１または複数の発光素子を備える機器を撮影した画像を取得する画像取得部と、前記機器における前記発光素子の位置と、前記発光素子の点灯状態および前記機器の状態の対応関係とを含む参照情報を取得する情報取得部と、前記画像取得部によって取得された前記画像から前記機器における点灯状態および点灯位置を解析し、解析結果と前記情報取得部によって取得された前記参照情報とに基づいて前記機器における前記発光素子の点灯状態を取得し、取得した前記発光素子の点灯状態に基づいて前記機器の状態を判断する判断部と、前記判断部の判断結果を認識可能に出力する制御を行う出力制御部とを備える。
【００１５】
このような構成により、観察者による発光素子の意味表示の読み間違えを防ぎ、また、機器が発光素子の意味表示の読み取り困難な場所に設置されていても、機器の状態を正確に把握することができる。また、エンドユーザ宅において障害が発生したときに、たとえばスマートホンにインストールされたアプリケーションを用いて機器の点灯状態の意味を解析することにより、機器の状態を正確に把握し、たとえば機器の問い合わせ窓口に対して適切な情報を提供することができる。あるいは、フィールド調査員が上記アプリケーションをインストールしたスマートホン等を持参することで、フィールド調査員に高いスキルを要求することなく、エンドユーザ宅における障害発生時に正確な情報を容易に把握することができるため、より適切な対応をとることが可能となる。したがって、本発明の実施の形態に係る機器状態解析装置では、状態表示のための発光素子を備える機器の状態を良好に解析することができる。
【００１６】
（２）好ましくは、前記参照情報は、複数の前記機器の、外観にする情報と、前記機器における前記発光素子の位置と、前記発光素子の点灯状態および前記機器の状態の対応関係とを含み、前記判断部は、前記参照情報を用いて、前記画像における前記機器を特定し、特定した前記機器における前記発光素子の位置および前記対応関係と前記解析結果とに基づいて前記機器の状態を判断する。
【００１７】
このような構成により、１つの機器に限らず、発光素子の数および配置等の異なる複数種類の機器について、発光素子の点灯状態に対応する機器状態を、容易かつ良好に解析することができる。
【００１８】
（３）好ましくは、前記参照情報は、前記発光素子の点灯状態と、前記発光素子に関して前記機器の外観に表示された内容以外の前記機器の状態である保守用状態との対応関係を含み、前記判断部は、前記保守用状態を判断可能である。
【００１９】
このような構成により、機器の発光素子に付された意味表示に制限されず、機器の状態に関する多彩な情報を提供することができる。
【００２０】
（４）本発明の実施の形態に係る機器状態解析方法は、１または複数の発光素子を備える機器を撮影した画像を取得するステップと、前記機器における前記発光素子の位置と、前記発光素子の点灯状態および前記機器の状態の対応関係とを含む参照情報を取得するステップと、取得した前記画像から前記機器における点灯状態および点灯位置を解析するステップと、解析した結果と取得した前記参照情報とに基づいて前記機器における前記発光素子の点灯状態を取得し、取得した前記発光素子の点灯状態に基づいて前記機器の状態を判断するステップと、判断した結果を認識可能に出力する制御を行うステップとを含む。
【００２１】
このような構成により、観察者による発光素子の意味表示の読み間違えを防ぎ、また、機器が発光素子の意味表示の読み取り困難な場所に設置されていても、機器の状態を正確に把握することができる。また、エンドユーザ宅において障害が発生したときに、たとえばスマートホンにインストールされたアプリケーションを用いて機器の点灯状態の意味を解析することにより、機器の状態を正確に把握し、たとえば機器の問い合わせ窓口に対して適切な情報を提供することができる。あるいは、フィールド調査員が上記アプリケーションをインストールしたスマートホン等を持参することで、フィールド調査員に高いスキルを要求することなく、エンドユーザ宅における障害発生時に正確な情報を容易に把握することができるため、より適切な対応をとることが可能となる。したがって、本発明の実施の形態に係る機器状態解析方法では、状態表示のための発光素子を備える機器の状態を良好に解析することができる。
【００２２】
（５）本発明の実施の形態に係る機器状態解析プログラムは、機器状態解析装置において用いられる機器状態解析プログラムであって、コンピュータを、１または複数の発光素子を備える機器を撮影した画像を取得する画像取得部と、前記機器における前記発光素子の位置と、前記発光素子の点灯状態および前記機器の状態の対応関係とを含む参照情報を取得する情報取得部と、前記画像取得部によって取得された前記画像から前記機器における点灯状態および点灯位置を解析し、解析結果と前記情報取得部によって取得された前記参照情報とに基づいて前記機器における前記発光素子の点灯状態を取得し、取得した前記発光素子の点灯状態に基づいて前記機器の状態を判断する判断部と、前記判断部の判断結果を認識可能に出力する制御を行う出力制御部と、として機能させるためのプログラムである。
【００２３】
このような構成により、観察者による発光素子の意味表示の読み間違えを防ぎ、また、機器が発光素子の意味表示の読み取り困難な場所に設置されていても、機器の状態を正確に把握することができる。また、エンドユーザ宅において障害が発生したときに、たとえばスマートホンにインストールされたアプリケーションを用いて機器の点灯状態の意味を解析することにより、機器の状態を正確に把握し、たとえば機器の問い合わせ窓口に対して適切な情報を提供することができる。あるいは、フィールド調査員が上記アプリケーションをインストールしたスマートホン等を持参することで、フィールド調査員に高いスキルを要求することなく、エンドユーザ宅における障害発生時に正確な情報を容易に把握することができるため、より適切な対応をとることが可能となる。したがって、本発明の実施の形態に係る機器状態解析プログラムでは、状態表示のための発光素子を備える機器の状態を良好に解析することができる。
【００２４】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２５】
図１は、本発明の実施の形態に係る機器状態解析装置の使用例を示す図である。
【００２６】
図１を参照して、機器２０１は、たとえば、モデム、ルータおよびＩＰ電話装置等の宅内機器であり、機器２０１の状態を表示するための５つの発光素子３１を備える。発光素子３１は、たとえばＬＥＤである。以下、機器２０１において発光素子３１の実装された面を表示面とも称する。
【００２７】
なお、機器２０１は、４つ以下または６つ以上の複数の発光素子３１を備える構成であってもよいし、１つの発光素子３１を備える構成であってもよい。また、機器２０１は、宅外に設置される機器であってもよい。また、機器２０１は、上記のような通信機器に限らず、たとえば家電機器であってもよい。
【００２８】
機器状態解析装置１０１は、たとえば、カメラが内蔵されたスマートホンおよびタブレット等の携帯端末である。ユーザは、機器状態解析装置１０１を用いて機器２０１の表示面を撮影可能である。
【００２９】
図２は、本発明の実施の形態に係る機器の表示面の一例を概略的に示す図である。
【００３０】
図２を参照して、表示面には、発光素子３１の一例であるＬＥＤ１〜５の定義すなわち機器２０１の意味表示３２が記されている。より詳細には、ＬＥＤ１は機器２０１の電源状態を示し、ＬＥＤ２は機器２０１の異常状態を示し、ＬＥＤ３〜５は、機器２０１の各通信状態を示す。
【００３１】
図３は、本発明の実施の形態に係る機器の構成の一例を示す図である。
【００３２】
図３を参照して、機器２０１は、発光部２１と、制御部２２と、記憶部２３と、通信部２４とを備える。
【００３３】
発光部２１は、１または複数の発光素子３１を含み、制御部２２による制御に従って発光素子３１の点灯および消灯を切り替える。各発光素子３１の発光色は、同じであってもよいし、異なってもよい。
【００３４】
通信部２４は、他の装置と各種通信を行うことが可能であり、通信状態を制御部２２に通知する。
【００３５】
記憶部２３は、発光部２１における各発光素子３１の点灯状態と機器２０１の状態たとえば動作状態との対応関係を含む点灯制御情報を記憶する。
【００３６】
制御部２２は、機器２０１における各部の制御および監視を行う。制御部２２は、電源状態および通信状態等の監視結果に応じて発光部２１を制御することにより、機器２０１の状態表示を行う。より詳細には、制御部２２は、記憶部２３に記憶された点灯制御情報から、監視結果である機器２０１の状態に対応する点灯状態を取得し、取得した点灯状態に従って発光部２１を制御する。
【００３７】
図４は、本発明の実施の形態に係る機器状態解析装置の構成を示す図である。
【００３８】
図４を参照して、機器状態解析装置１０１は、撮影部１１と、画像取得部１２と、情報取得部１３と、記憶部１４と、判断部１５と、出力制御部１６と、表示部１７とを備える。なお、撮影部１１、記憶部１４および表示部１７の少なくともいずれか１つが、機器状態解析装置１０１の外部に設けられる構成であってもよい。
【００３９】
画像取得部１２は、１または複数の発光素子３１を備える機器２０１を撮影した撮影画像を取得する。
【００４０】
より詳細には、撮影部１１は、機器２０１の静止画または動画を撮影し、撮影した画像（以下、撮影画像とも称する。）を画像取得部１２へ出力する。画像取得部１２は、撮影部１１から受けた撮影画像を判断部１５へ出力する。
【００４１】
情報取得部１３は、機器２０１における発光素子３１の位置と、発光素子３１の点灯状態および機器２０１の状態の対応関係とを含む参照情報を取得する。すなわち、参照情報は、機器２０１の記憶する点灯制御情報を含む情報である。
【００４２】
より詳細には、記憶部１４は、参照情報を記憶する。情報取得部１３は、記憶部１４から参照情報を取得して判断部１５へ出力する。
【００４３】
判断部１５は、画像取得部１２によって取得された撮影画像から機器２０１における点灯状態および点灯位置を解析し、解析結果と情報取得部１３によって取得された参照情報とに基づいて機器２０１における発光素子３０１の点灯状態を取得する。判断部１５は、参照情報を用いて、取得した発光素子３０１の点灯状態から機器２０１の状態を判断する。判断部１５は、判断結果を出力制御部１６へ出力する。
【００４４】
出力制御部１６は、判断部１５の判断結果を認識可能に出力する制御を行う。より詳細には、出力制御部１６は、判断部１５から受けた判断結果の内容を示す制御情報を表示部１７へ出力する。
【００４５】
表示部１７は、ＬＣＤ（Ｌｉｑｕｉｄ  Ｃｒｙｓｔａｌ  Ｄｉｓｐｌａｙ）等のディスプレイであり、判断部１５から受けた制御情報の示す判断結果に関し、文字列または絵文字等を表示する。
【００４６】
なお、出力制御部１６は、判断部１５の判断結果を表示部１７に表示する制御を行う構成に限らず、音響およびバイブレーション等、他の出力手段を用いて判断部１５の判断結果を認識可能に出力する構成であってもよい。
【００４７】
図５は、本発明の実施の形態に係る機器状態解析装置における参照情報の一例を示す図である。
【００４８】
たとえば、参照情報は、複数の機器２０１の、外観にする情報と、機器２０１における発光素子３１の位置と、当該発光素子３１の点灯状態および機器２０１の状態の対応関係とを含む。
【００４９】
判断部１５は、このような参照情報を用いて撮影画像における機器２０１を特定し、特定した機器２０１における発光素子３１の位置および上記対応関係と機器２０１における点灯状態および点灯位置の解析結果とに基づいて機器２０１の状態を判断する。
【００５０】
具体的には、図５を参照して、参照情報の一例である参照テーブルには、機器Ａ〜Ｃについて、それぞれ、ＬＥＤの定義Ａ〜Ｃと、ＬＥＤの位置Ａ〜Ｃと、外観Ａ〜Ｃとが登録されている。
【００５１】
外観Ａ〜Ｃは、たとえば機器２０１の外形、サイズおよび配色を含む。位置Ａ〜Ｃは、たとえば機器２０１の表示面における各ＬＥＤの位置を示す座標を含む。
【００５２】
たとえば、判断部１５は、参照テーブルにおける外観Ａ〜Ｃのうち、画像取得部１２から受けた撮影画像において外観Ａを識別すると、機器ＡにおけるＬＥＤの位置Ａを取得する。そして、判断部１５は、取得した位置ＡにおけるＬＥＤの点灯状態を撮影画像から解析し、定義Ａを参照することにより、解析した点灯状態に対応する機器Ａの状態を取得する。
【００５３】
このように、機器２０１の外観を識別する構成により、機器２０１が縦置き、横置きまたは天地逆に配置されている状態でも、機器２０１の種類を容易に判別し、各ＬＥＤの位置を容易に特定することができる。
【００５４】
なお、参照情報は、図５に示すような複数種類の機器の情報を含むものに限らず、１種類の機器の情報であってもよい。
【００５５】
図６は、本発明の実施の形態に係る機器状態解析装置の参照情報における発光素子の定義の一例を示す図である。
【００５６】
図６を参照して、定義Ａ１では、ＬＥＤ１は、点灯状態において機器２０１の電源オン状態を示し、消灯状態において機器２０１の電源オフ状態を示す。ＬＥＤ２は、点灯状態において機器２０１の異常状態を示し、消灯状態において機器２０１の正常状態を示す。ＬＥＤ３〜５は、機器２０１の有する通信インタフェース１〜３における通信状態を示し、たとえばデータがやり取りされているタイミングにおいて点灯する。
【００５７】
たとえば、判断部１５は、ＬＥＤ１が消灯している場合、機器２０１の電源がオフしていると判断し、ＬＥＤ２が点灯している場合、機器２０１に異常が発生していると判断し、ＬＥＤ３〜５が消灯している場合、通信インタフェース１〜３における通信がそれぞれ停止していると判断する。
【００５８】
なお、参照テーブルにおけるＬＥＤの定義は、点灯の有無に応じた内容に限らず、ＬＥＤの発光色に応じた内容であってもよい。この場合、判断部１５は、発光素子３１の発光色に応じた機器Ａの各種状態を取得する。たとえば、判断部１５は、発光色に応じて通信速度を判定することが可能である。
【００５９】
図７は、本発明の実施の形態に係る機器状態解析装置の参照情報における発光素子の定義の他の例を示す図である。
【００６０】
たとえば、参照情報は、発光素子３１の点灯状態と、発光素子３１に関して機器２０１の外観に表示された内容以外の機器２０１の状態である保守用状態との対応関係を含む。
【００６１】
判断部１５は、保守用状態を判断可能である。たとえば、判断部１５は、撮影画像が動画である場合、発光素子３１の点灯パターンを識別することが可能である。
【００６２】
具体的には、図７を参照して、参照テーブルには、ＬＥＤ１〜５の点灯の有無をバイナリ表示ととらえた点灯パターンと、機器２０１の状態との対応関係が登録されている。
【００６３】
より詳細には、定義Ａ２では、ＬＥＤ１〜５の点灯値が０、１、２、３の順に変化した場合には機器２０１が状態Ｘであり、ＬＥＤ１〜５の点灯値が１、２、３、４の順に変化した場合には機器２０１が状態Ｙであり、ＬＥＤ１〜５の点灯値が２、３、４、５の順に変化した場合には機器２０１が状態Ｚである。
【００６４】
図８は、本発明の実施の形態に係る機器状態解析装置の参照情報における発光素子の定義の他の例を示す図である。
【００６５】
たとえば、判断部１５は、撮影画像が動画である場合、発光素子３１の点灯周期を識別することが可能である。
【００６６】
具体的には、図８を参照して、参照テーブルには、ＬＥＤ１〜５の点灯周期と、機器２０１の状態との対応関係が登録されている。
【００６７】
より詳細には、定義Ａ３では、あるＬＥＤの点灯周期がＴ１〜Ｔ３である場合には機器２０１がそれぞれ状態Ｋ，Ｌ，Ｍである。
【００６８】
機器２０１における記憶部２３は、たとえば、図６〜図８に示すような、機器状態解析装置１０１の記憶部１４における各参照テーブルに含まれる点灯制御情報と同様の情報を記憶する。
【００６９】
定義Ａ２またはＡ３を用いる構成により、何らかの障害発生時において、機器２０１の表示面における意味表示３２に制限されることなく、配線の切断または抜け、および低下した通信速度の値等、機器２０１の状態に関してより多くの情報を出力することが可能となる。
【００７０】
また、機器２０１が１つの発光素子３１を備える構成である場合には、たとえば発光素子３１の発光色または点灯周期により、機器２０１の保守用状態を判断することが可能である。
【００７１】
［動作の流れ］
機器状態解析装置１０１は、コンピュータを備え、当該コンピュータにおけるＣＰＵ等の演算処理部は、以下のフローチャートの各ステップの一部または全部を含むプログラムを図示しないメモリから読み出して実行する。このプログラムは、外部からインストールすることができる。このプログラムは、記録媒体に格納された状態で流通する。
【００７２】
図９は、本発明の実施の形態に係る機器状態解析装置が機器状態を解析する際の動作手順を定めたフローチャートである。
【００７３】
まず、機器状態解析装置１０１は、１または複数の発光素子３１を備える機器２０１を撮影した撮影画像を取得する。
【００７４】
次に、機器状態解析装置１０１は、機器２０１における発光素子３１の位置と、発光素子３１の点灯状態および機器２０１の状態の対応関係とを含む参照情報を取得する。
【００７５】
次に、機器状態解析装置１０１は、取得した撮影画像から機器２０１における点灯状態および点灯位置を解析する。
【００７６】
次に、機器状態解析装置１０１は、解析した結果と、取得した参照情報とに基づいて機器２０１におけるＬＥＤの点灯状態を取得し、取得した点灯状態に基づいて機器２０１の状態を判断する。
【００７７】
次に、機器状態解析装置１０１は、判断した結果を認識可能に出力する制御を行う。
【００７８】
具体的には、図９を参照して、まず、機器状態解析装置１０１における撮影部１１は、機器２０１の画像を撮影して画像取得部１２へ出力する（ステップＳ１）。
【００７９】
次に、判断部１５は、画像取得部１２から受けた撮影画像を用いて、機器２０１の外観、点灯状態および点灯位置を解析する（ステップＳ２）。
【００８０】
次に、判断部１５は、情報取得部１３経由で記憶部１４から参照情報を取得する（ステップＳ３）。
【００８１】
次に、判断部１５は、取得した参照情報を用いて、解析した外観から機器を特定する（ステップＳ４）。
【００８２】
次に、判断部１５は、参照情報における特定した機器の情報を用いて、解析した点灯状態および点灯位置からＬＥＤの点灯状態を取得する（ステップＳ５）。
【００８３】
次に、判断部１５は、参照情報における特定した機器の情報を用いて、取得した各位置のＬＥＤの点灯状態から機器２０１の状態を判断する（ステップＳ６）。
【００８４】
次に、出力制御部１６は、判断部１５の判断結果を表示部１７に表示する制御を行う（ステップＳ７）。
【００８５】
なお、図９において、ステップＳ１，Ｓ２とステップＳ３とは、順番を入れ替えてもよい。
【００８６】
ところで、機器に実装されたＬＥＤの数が多い場合、ＬＥＤの意味表示を読み間違える可能性がある。また、モデム、ルータおよびＩＰ電話装置等の宅内機器は、設置室内の奥まった箇所に設置されることも多く、ＬＥＤの点灯状態を観察することはできても、ＬＥＤの意味表示を読み取ることが困難な場合がある。
【００８７】
これに対して、本発明の実施の形態に係る機器状態解析装置では、画像取得部１２は、１または複数の発光素子３１を備える機器２０１を撮影した撮影画像を取得する。情報取得部１３は、機器２０１における発光素子３１の位置と、発光素子３１の点灯状態および機器２０１の状態の対応関係とを含む参照情報を取得する。判断部１５は、画像取得部１２によって取得された撮影画像から機器２０１における点灯状態および点灯位置を解析し、解析結果と情報取得部１３によって取得された参照情報とに基づいて機器２０１の状態を判断する。そして、出力制御部１６は、判断部１５の判断結果を認識可能に出力する制御を行う。
【００８８】
このような構成により、観察者による発光素子３１の意味表示の読み間違えを防ぎ、また、機器２０１が発光素子３１の意味表示の読み取り困難な場所に設置されていても、機器２０１の状態を正確に把握することができる。
【００８９】
また、エンドユーザ宅において障害が発生したときに、たとえばスマートホンにインストールされたアプリケーションを用いて機器２０１の点灯状態の意味を解析することにより、機器２０１の状態を正確に把握し、たとえば機器２０１の問い合わせ窓口に対して適切な情報を提供することができる。あるいは、フィールド調査員が上記アプリケーションをインストールしたスマートホン等を持参することで、フィールド調査員に高いスキルを要求することなく、エンドユーザ宅における障害発生時に正確な情報を容易に把握することができるため、より適切な対応をとることが可能となる。
【００９０】
したがって、本発明の実施の形態に係る機器状態解析装置では、状態表示のための発光素子を備える機器の状態を良好に解析することができる。
【００９１】
また、本発明の実施の形態に係る機器状態解析装置では、参照情報は、複数の機器２０１の、外観にする情報と、機器２０１における発光素子３１の位置と、当該発光素子３１の点灯状態および機器２０１の状態の対応関係とを含む。そして、判断部１５は、参照情報を用いて撮影画像における機器２０１を特定し、特定した機器２０１における発光素子３１の位置および上記対応関係と機器２０１における点灯状態および点灯位置の解析結果とに基づいて機器２０１の状態を判断する。
【００９２】
このような構成により、１つの機器２０１に限らず、発光素子３１の数および配置等の異なる複数種類の機器２０１について、発光素子３１の点灯状態に対応する機器状態を、容易かつ良好に解析することができる。
【００９３】
また、本発明の実施の形態に係る機器状態解析装置では、参照情報は、発光素子３１の点灯状態と、発光素子３１に関して機器２０１の外観に表示された内容以外の機器２０１の状態である保守用状態との対応関係を含む。そして、判断部１５は、保守用状態を判断可能である。
【００９４】
このような構成により、機器２０１の発光素子３１に付された意味表示に制限されず、機器２０１の状態に関する多彩な情報を提供することができる。
【００９５】
また、本発明の実施の形態に係る機器状態解析方法では、まず、１または複数の発光素子３１を備える機器２０１を撮影した撮影画像を取得する。次に、機器２０１における発光素子３１の位置と、発光素子３１の点灯状態および機器２０１の状態の対応関係とを含む参照情報を取得する。次に、取得した撮影画像から機器２０１における点灯状態および点灯位置を解析する。次に、解析した結果と、取得した参照情報とに基づいて機器２０１におけるＬＥＤの点灯状態を取得し、取得した点灯状態に基づいて機器２０１の状態を判断する。次に、判断した結果を認識可能に出力する制御を行う。
【００９６】
このような構成により、観察者による発光素子３１の意味表示の読み間違えを防ぎ、また、機器２０１が発光素子３１の意味表示の読み取り困難な場所に設置されていても、機器２０１の状態を正確に把握することができる。
【００９７】
また、エンドユーザ宅において障害が発生したときに、たとえばスマートホンにインストールされたアプリケーションを用いて機器２０１の点灯状態の意味を解析することにより、機器２０１の状態を正確に把握し、たとえば機器２０１の問い合わせ窓口に対して適切な情報を提供することができる。あるいは、フィールド調査員が上記アプリケーションをインストールしたスマートホン等を持参することで、フィールド調査員に高いスキルを要求することなく、エンドユーザ宅における障害発生時に正確な情報を容易に把握することができるため、より適切な対応をとることが可能となる。
【００９８】
したがって、本発明の実施の形態に係る機器状態解析方法では、状態表示のための発光素子を備える機器の状態を良好に解析することができる。
【００９９】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１００】
以上の説明は、以下に付記する特徴を含む。
【０１０１】
［付記１］
機器状態解析装置であって、
１または複数の発光素子を備える機器を撮影した画像を取得する画像取得部と、
前記機器における前記発光素子の位置と、前記発光素子の点灯状態および前記機器の状態の対応関係とを含む参照情報を取得する情報取得部と、
前記画像取得部によって取得された前記画像から前記機器における点灯状態および点灯位置を解析し、解析結果と前記情報取得部によって取得された前記参照情報とに基づいて前記機器における前記発光素子の点灯状態を取得し、取得した前記発光素子の点灯状態に基づいて前記機器の状態を判断する判断部と、
前記判断部の判断結果を認識可能に出力する制御を行う出力制御部とを備え、
前記機器状態解析装置は、携帯端末であり、
さらに、
前記機器を撮像する撮影部と、
前記出力制御部の制御に従って前記判断結果に関する表示を行う表示部とを備える、機器状態解析装置。
【符号の説明】
【０１０２】
１１  撮影部
１２  画像取得部
１３  情報取得部
１４  記憶部
１５  判断部
１６  出力制御部
１７  表示部
２１  発光部
２２  制御部
２３  記憶部
２４  通信部
３１  発光素子
３２  意味表示
１０１  機器状態解析装置
２０１  機器
【図１】
2017162146.tif 000003
【図２】
2017162146.tif 000004
【図３】
2017162146.tif 000005
【図４】
2017162146.tif 000006
【図５】
2017162146.tif 000007
【図６】
2017162146.tif 000008
【図７】
2017162146.tif 000009
【図８】
2017162146.tif 000010
【図９】
2017162146.tif 000011